(57)【特許請求の範囲】
【請求項１】
前後方向に沿って延びるコンタクト収容孔を有するハウジングと、
前記ハウジングの背面側に取り付けられ、前記コンタクト収容孔に収容されたコンタクトから導出する電線を収容するワイヤカバーと、
一対の側板及び該両側板の一端部を互いに連結する連結部を有し、前記両側板の他端部が前記ワイヤカバーに取り付けられ、該両側板の他端部を中心として前記ハウジングに対して左右方向に回転させることが可能なレバーと、
を備え、
前記レバーを左右方向の一方側に向かって回転させることによって相手コネクタとの嵌合が解除され、前記レバーを左右方向の他方側に向かって回転させて、該レバーを嵌合完了位置に配置することによって相手コネクタとの嵌合が完了するレバー式コネクタであって、
前記連結部に設けられた係止片と、
前記ワイヤカバーの背面に設けられ、嵌合完了位置に配置された前記レバーの前記係止片を係止することによって、該レバーの前記一方側への回転を阻止するロック部材と、
前記連結部に設けられ、前記ロック部材による前記係止片の係止を解除するための解除部と、
を備え、
前記ロック部材が、前記ワイヤカバーから前記他方側に向かって延びる第一板ばね部と、該第一板ばね部の先端部に設けられ、前記係止片を係止する係止部とを有し、
前記解除部が、前記連結部から前記他方側に向かって延びる第二板ばね部と、該第二板ばね部の先端部から外方に向かって延びる解除用凸部とを有し、
前記連結部の前記解除用凸部の周囲のうち少なくとも該解除用凸部の前記一方側に、該解除用凸部に対して外方に向かって突出する側壁が設けられ、
前記係止片が前記係止部により係止された状態で、前記解除用凸部を内方に向かって押し込むことによって、前記第二板ばね部の先端部が、前記第一板ばね部の先端部を内方に向かって押し込むことを特徴とするレバー式コネクタ。
【請求項２】
前記第二板ばね部が、前記レバーが嵌合完了位置に配置された状態で、前記連結部から斜め前方に向かって延びるように設けられていることを特徴とする請求項１記載のレバー式コネクタ。
【請求項３】
前記解除用凸部の先端部に、斜面が設けられ、
該斜面が、前記レバーが嵌合完了位置に配置された状態で、前記他方側かつ後方に向かうように設けられていることを特徴とする請求項１又は２記載のレバー式コネクタ。
【発明の詳細な説明】
【技術分野】
【０００１】
本発明は、レバーを回転させることによって相手コネクタとの嵌合及び嵌合の解除を行うレバー式コネクタに関する。
【背景技術】
【０００２】
近年、自動車等の分野で用いられる電気コネクタでは多極化が進んでいる。そして、多極に形成された電気コネクタでは、コネクタ同士の嵌合を行う際及び嵌合を解除する際に大きな力が必要となる。このため、自動車等の分野では、レバーによる倍力効果を利用して相手コネクタとの嵌合及び嵌合の解除を行うレバー式コネクタが使用されている。
レバー式コネクタでは、レバーを回転させることによって相手コネクタとの嵌合及び嵌合の解除が行われ、レバーを嵌合完了位置に配置させることによって相手コネクタとの嵌合が完了する。そして、レバー式コネクタでは、相手コネクタとの嵌合が完了した状態を維持するために、嵌合完了位置に配置されたレバーの嵌合開始位置側への回転を阻止するロック部材が設けられている。
【０００３】
ここで、相手コネクタとの嵌合が完了した状態のレバー式コネクタでは、ロック部材に外力が作用することによって、ロック部材によるレバーのロックが意図せずに解除される場合がある。そして、レバー式コネクタでは、ロック部材によるレバーのロックが意図せずに解除された場合、相手コネクタとの嵌合が不完全な状態となるおそれがある。
そこで、従来から、ロック部材によるレバーのロックが意図せずに解除されることを防止することができる構成のレバー式コネクタが開発されている。
従来、ロック部材によるレバーのロックが意図せずに解除されることを防止することができる構成のレバー式コネクタとして、例えば、図１７に示すものが知られている（特許文献１参照）。
【０００４】
図１７は、従来のレバー式コネクタの断面図である。
図１７に示すレバー式コネクタ１００は、コンタクトを収容するコネクタハウジング１１０と、コネクタハウジング１１０に対して回転させることが可能となるように取り付けられたレバー１２０と、コネクタハウジング１１０の背面側に取り付けられたワイヤカバー１３０とを備えている。
レバー１２０は、図１７に示す左右方向に回転させることが可能となっている。レバー１２０は、一対の組付脚部１２１及びこれら両組付脚部１２１を互いに連結する連結部１２２を有している。そして、両組付脚部１２１には、それぞれ相手コネクタ２００に設けられたカムピン２１０の引き込み及び押し出しを行うカム溝１２３が設けられている。連結部１２２には、コネクタハウジング１１０に設けられたロック片１１１が係止されるロック爪１２４が設けられている。ロック爪１２４の先端部には、解除操作部１２５が設けられている。
【０００５】
ワイヤカバー１３０の背面には、後方に向かって膨らむように形成された誤解除規制部１３１が設けられている。
レバー式コネクタ１００では、レバー１２０を嵌合完了位置（図１７参照）側に向かって回転させることによって、両組付脚部１２１のカム溝１２３が、それぞれ相手コネクタ２００のカムピン２１０を引き込む。そして、レバー式コネクタ１００では、レバー１２０を嵌合完了位置に配置することによって、相手コネクタ２００との嵌合が完了する。レバー１２０が嵌合完了位置に配置されたレバー式コネクタ１００では、コネクタハウジング１１０のロック片１１１が連結部１２２のロック爪１２４を係止することによって、レバー１２０がロックされた状態となる。
【０００６】
そして、レバー１２０がロックされた状態のレバー式コネクタ１００では、ワイヤカバー１３０の誤解除規制部１３１によって、レバー１２０のロック爪１２４の解除操作部１２５に外力が作用し難くなっている。これにより、レバー式コネクタ１００では、コネクタハウジング１１０のロック片１１１によるレバー１２０のロック爪１２４の係止が外力によって意図せずに解除されることを防止している。
【特許文献１】特開平１１−３２９５８２号公報
【発明の開示】
【発明が解決しようとする課題】
【０００７】
一般的に、組み立て工程に搬入されるレバー式コネクタでは、搬送中にレバーが破損することを防止するために、レバーが嵌合完了位置に配置され、該レバーがロック部材によりロックされた状態となっている。
そして、レバー式コネクタと相手コネクタとの嵌合を行う際には、まず、ロック部材によるレバーのロックを解除して、嵌合完了位置に配置されているレバーを嵌合開始位置まで回転させる。そして、レバーを嵌合開始位置に配置した状態で、レバー式コネクタと相手コネクタとの仮嵌合を行う必要がある。
【０００８】
しかしながら、図１７に示すレバー式コネクタ１００では、レバー１２０のロックを解除する際には、ワイヤカバー１３０の後方から解除操作部１２５の内側に指を挿入して、挿入した指で解除操作部１２５を後方に向かって引っ張りながら、レバー１２０を嵌合開始位置側に向かって回転させる必要がある。すなわち、レバー式コネクタ１００では、レバー１２０のロックを解除する際に、指を解除操作部１２５の内側に挿入する動作、指で解除操作部１２５を引っ張る動作及び指でレバー１２０を回転させる動作が必要となる。したがって、レバー式コネクタ１００では、レバー１２０のロックの解除性が悪いという問題がある。そして、レバー１２０のロックの解除性が悪いと、作業員の作業効率が低下するとともに、作業員がレバー１２０を破損させるおそれがある。
本発明は上記した従来技術の問題を解決するためになされたものであり、その目的は、ロック部材によるレバーのロックの解除性を向上することが可能なレバー式コネクタを提供することにある。
【課題を解決するための手段】
【０００９】
請求項１に係るレバー式コネクタは、前後方向に沿って延びるコンタクト収容孔を有するハウジングと、
前記ハウジングの背面側に取り付けられ、前記コンタクト収容孔に収容されたコンタクトから導出する電線を収容するワイヤカバーと、
一対の側板及び該両側板の一端部を互いに連結する連結部を有し、前記両側板の他端部が前記ワイヤカバーに取り付けられ、該両側板の他端部を中心として前記ハウジングに対して左右方向に回転させることが可能なレバーと、
を備え、
前記レバーを左右方向の一方側に向かって回転させることによって相手コネクタとの嵌合が解除され、前記レバーを左右方向の他方側に向かって回転させて、該レバーを嵌合完了位置に配置することによって相手コネクタとの嵌合が完了するレバー式コネクタであって、
前記連結部に設けられた係止片と、
前記ワイヤカバーの背面に設けられ、嵌合完了位置に配置された前記レバーの前記係止片を係止することによって、該レバーの前記一方側への回転を阻止するロック部材と、
前記連結部に設けられ、前記ロック部材による前記係止片の係止を解除するための解除部と、
を備え、
前記ロック部材が、前記ワイヤカバーから前記他方側に向かって延びる第一板ばね部と、該第一板ばね部の先端部に設けられ、前記係止片を係止する係止部とを有し、
前記解除部が、前記連結部から前記他方側に向かって延びる第二板ばね部と、該第二板ばね部の先端部から外方に向かって延びる解除用凸部とを有し、
前記連結部の前記解除用凸部の周囲のうち少なくとも該解除用凸部の前記一方側に、該解除用凸部に対して外方に向かって突出する側壁が設けられ、
前記係止片が前記係止部により係止された状態で、前記解除用凸部を内方に向かって押し込むことによって、前記第二板ばね部の先端部が、前記第一板ばね部の先端部を内方に向かって押し込むことを特徴とする。
【００１０】
請求項１に係るレバー式コネクタでは、ロック部材が、ワイヤカバーから左右方向の他方側に向かって延びる第一板ばね部と、第一板ばね部の先端部に設けられ、係止片を係止する係止部とを有している。また、解除部が、連結部から左右方向の他方側に向かって延びる第二板ばね部と、第二板ばね部の先端部から外方に向かって延びる解除用凸部とを有している。したがって、係止片がロック部材により係止された状態で、指で解除用凸部を内方に向かって押し込むことによって、第二板ばね部が撓んで、第二板ばね部の先端部が内方に向かって変位する。そして、内方に向かって変位した第二板ばね部の先端部が、第一板ばね部の先端部を内方に向かって押し込むことによって、ロック部材の係止部によるレバーの係止片の係止を解除することができる。さらに、解除用凸部を押し込んだ指で、レバーを左右方向の一方側に向かって回転させることによって、ロック部材によるレバーのロックを解除することができる。
したがって、請求項１に係るレバー式コネクタでは、ロック部材によるレバーのロックを解除を、解除用凸部を押し込む動作及びレバーを回転させる動作のみで行うことができる。したがって、請求項１に係るレバー式コネクタによれば、ロック部材によるレバーのロックの解除性を向上することが可能となる。
また、請求項１に係るレバー式コネクタでは、解除用凸部に対して外方に向かって突出する側壁が設けられている構成により、解除用凸部に外力が作用することによってロック部材によるレバーの係止が意図せずに解除されることを防止することが可能となる。
【００１１】
また、請求項２に係るレバー式コネクタは、請求項１に係るレバー式コネクタにおいて、前記第二板ばね部が、前記レバーが嵌合完了位置に配置された状態で、前記連結部から斜め前方に向かって延びるように設けられていることを特徴とする。
請求項２に係るレバー式コネクタでは、第二板ばね部が、レバーが嵌合完了位置に配置された状態で、連結部から左右方向の他方側かつ前方（斜め前方）に向かって延びている。したがって、解除用凸部を内方に向かって押し込むことによる第二板ばね部の先端部が変位する向きが、変位前の第二板ばね部の先端部の位置に対して前方かつ左右方向の一方側となる。よって、解除用凸部を内方に向かって押し込む動作のみで、ロック部材の係止部によるレバーの係止片の係止の解除及びレバーの左右方向の一方側への回転を行うことができる。したがって、請求項２に係るレバー式コネクタによれば、ロック部材によるレバーのロックの解除性をさらに向上することが可能となる。
【００１２】
また、請求項３に係るレバー式コネクタは、請求項１又は２に係るレバー式コネクタにおいて、前記解除用凸部の先端部に、斜面が設けられ、該斜面が、前記レバーが嵌合完了位置に配置された状態で、前記他方側かつ後方に向かうように設けられていることを特徴とする。
請求項３に係るレバー式コネクタでは、解除用凸部の先端部に左右方向の他方側かつ後方に向かう斜面を設ける構成により、解除用凸部を斜面に対して直交する方向に押し込むことによって第二板ばね部の先端部を前方かつ左右方向の一方側に向かって円滑に変位させることができる。したがって、請求項３に係るレバー式コネクタによれば、ロック部材によるレバーのロックの解除性をさらに向上することが可能となる。
【発明の効果】
【００１４】
請求項１乃至３のうちいずれか１項に係るレバー式コネクタによれば、ロック部材によるレバーのロックの解除性を向上することが可能となる。
また、請求項１乃至３のうちいずれか１項に係るレバー式コネクタによれば、さらに、解除用凸部に外力が作用することによってロック部材によるレバーの係止が意図せずに解除されることを防止することが可能となる。
【発明を実施するための最良の形態】
【００１５】
次に本発明の実施形態であるレバー式コネクタを図面を参照して説明する。
図１は、本発明の実施形態であるレバー式コネクタのレバーが嵌合開始位置に配置された状態の右側を示す斜視図である。図２は、図１に示すレバー式コネクタの左側を示す斜視図である。図３は、図１に示すレバー式コネクタの平面図である。図４は、図１に示すレバー式コネクタであり、レバーの解除部を通る線で切断した断面図である。図５は、図１に示すレバー式コネクタであり、レバーの係止片を通る線で切断した断面図である。図６は、図１に示すレバー式コネクタの右側面図である。図７は、図１に示すレバー式コネクタの背面図である。図８は、図１に示すレバー式コネクタのハウジングを示す斜視図である。図９は、図８に示すハウジングの断面図である。図１０は、レバーが嵌合完了位置に配置された状態のレバー式コネクタの右側を示す斜視図である。図１１は、図１０に示すレバー式コネクタの左側を示す斜視図である。図１２は、図１０に示すレバー式コネクタの平面図である。図１３は、図１０に示すレバー式コネクタであり、レバーの解除部を通る線で切断した断面図である。図１４は、図１０に示すレバー式コネクタであり、レバーの係止片を通る線で切断した断面図である。図１５は、図１０に示すレバー式コネクタの右側面図である。図１６は、図１０に示すレバー式コネクタの背面図である。
【００１６】
図１乃至図７に示すレバー式コネクタ１は、複数のコンタクト（図示せず）を収容するハウジング１０と、ハウジング１０の背面側（図１乃至図６に示す上側）に取り付けられたワイヤカバー２０と、ワイヤカバー２０に取り付けられたレバー３０とを備えている。
ハウジング１０は、図３から図５に示すように、左右方向（図３から図５に示す左右方向）に沿って延びるように形成され、インナーハウジング１０ａと、インナーハウジング１０ａを覆うアウターハウジング１０ｂとを有している。
【００１７】
インナーハウジング１０ａは、図４及び図５に示すように、インナーハウジング本体１０ａ２と、インナーハウジング本体１０ａ２の前面に装着されたフロントカバー１０ａ１とからなる。インナーハウジング１０ａは、前後方向（図３から図５に示す上下方向）に沿って貫通するコンタクト収容孔（図示せず）を複数有している。
図８及び図９に示すように、アウターハウジング１０ｂの上下方向（図６に示す上下方向）の両内側面には、それぞれ左右方向に沿って延びるスライダ収容溝１２が設けられている。そして、図９に示すように、各スライダ収容溝１２には、スライダ１３が収容されている。各スライダ１３は、左右方向に沿って自由に移動することができるようにスライダ収容溝１２に収容されている。
【００１８】
図９に示すように、アウターハウジング１０ｂの前面には、相手コネクタに設けられたカムピン（図示せず）が挿入されるカムピン挿入孔１４が設けられている。図８に示すように、アウターハウジング１０ｂの背面には、インナーハウジング１０ａの各コンタクト収容孔に連通するコンタクト挿入孔１１が設けられている。
各スライダ１３は、図９に示すように、平板状に形成され、左右方向に沿って延びている。各スライダ１３の内面には、相手コネクタに設けられたカムピンの引き込み及び押し出しを行うカム溝１３ａが左右方向に沿って２つ設けられている。また、各スライダ１３の背面側には、レバー３０のギヤ３２ｂ（図１参照）が嵌合されるラック１３ｂが設けられている。
【００１９】
レバー３０は、図１及び図７に示すように、一対の側板３２及びこれら両側板３２の一端を互いに連結する連結部３３を有している。両側板３２の他端部には、それぞれワイヤカバー２０の軸部２１が嵌合される軸受孔３２ａが設けられている。そして、レバー３０は、両側板３２の軸受孔３２ａを中心としてハウジング１０に対して左右方向に回転させることが可能となるように、ワイヤカバー２０に取り付けられている。レバー３０は、嵌合開始位置（図１から図７参照）と嵌合完了位置（図１０から図１６参照）との間を回転させることが可能となっている。また、図１に示すように、両側板３２の他端部の軸受孔３２ａの周りには、それぞれスライダ１３のラック１３ｂに嵌合するギヤ３２ｂが設けられている。
図１、図５及び図６に示すように、連結部３３の内側には、ワイヤカバー２０のロック部材２７の係止部２７ｂが係止される係止片３５が２つ設けられている。両係止片３５は、それぞれ内方に向かって突出するように形成されている。
【００２０】
図１、図４及び図６に示すように、連結部３３の内側には、ロック部材２７の係止部２７ｂによる係止片３５の係止を解除するための解除部３６が設けられている。解除部３６は、連結部３３の左側面から右側（左右方向の他方側）に向かって延びる第二板ばね部３６ａと、第二板ばね部３６ａの先端部から外方に向かって延びる解除用凸部３６ｂとを有している。第二板ばね部３６ａは、片持ち梁の板ばね状に形成されている。図１及び図６に示すように、第二板ばね部３６ａの先端部は、両係止片３５の間に位置している。図１３に示すように、第二板ばね部３６ａは、レバー３０が嵌合完了位置に配置された状態で、連結部３３から右側かつ前方（斜め前方）に向かって延びるように設けられている。そして、第二板ばね部３６ａの先端部は、レバー３０が嵌合完了位置に配置された状態で、ロック部材２７の第一板ばね部２７ａの解除面２７ｃの後方に位置する。解除用凸部３６ｂの先端部には、斜面３６ｃが設けられている。図１３に示すように、斜面３６ｃは、レバー３０が嵌合完了位置に配置された状態で、右側かつ後方に向かうように設けられている。すなわち、斜面３６ｃへの垂線は、レバー３０が嵌合完了位置に配置された状態で、右側かつ後方から左側かつ前方に向かって延びている。
【００２１】
連結部３３の外側の解除用凸部３６ｂの周囲には、側壁３７が設けられている。側壁３７は、本実施形態では、解除用凸部３６ｂの上側、下側及び左側（左右方向の一方側）に設けられている。側壁３７は、解除用凸部３６ｂに対して外方に向かって突出するように設けられている。
ワイヤカバー２０は、図１及び図２に示すように、ほぼ箱形に形成され、インナーハウジング１０ａのコンタクト収容孔に収容されたコンタクトから導出する電線（図示せず）を収容する。ワイヤカバー２０の上面及び下面の前端部には、それぞれレバー３０の軸受孔３２ａに嵌合する軸部２１が設けられている。また、ワイヤカバー２０の上面及び下面には、それぞれ嵌合開始位置に配置されたレバー３０をロックする係止用凸部２６が設けられている。各係止用凸部２６は、嵌合開始位置に配置されたレバー３０の各側板３２の側面に係止することによって、レバー３０の右側への回転を阻止する。
【００２２】
図１及び図２に示すように、ワイヤカバー２０の左側には、第一抑止部２２が設けられている。また、ワイヤカバー２０の右側には、第二抑止部２３が設けられている。第一抑止部２２は、嵌合開始位置に配置されたレバー３０がそれ以上左側へ回転されることを抑止する。第二抑止部２３は、嵌合完了位置に配置されたレバー３０がそれ以上右側へ回転されることを抑止する。ワイヤカバー２０の右側の端部には、ハウジング１０に収容されたコンタクトに接続されている電線を束ねた状態で導出させる電線引出口２４が設けられている。
【００２３】
図１及び図７に示すように、ワイヤカバー２０の背面には、嵌合完了位置に配置されたレバー３０の左側への回転を阻止するロック部材２７が設けられている。ロック部材２７は、ワイヤカバー２０から右側に向かって延びる第一板ばね部２７ａと、第一板ばね部２７ａの先端部に設けられた２つの係止部２７ｂとを有している。第一板ばね部２７ａは、片持ち梁の板ばね状に形成されている。両係止部２７ｂは、それぞれ第一板ばね部２７ａの上下方向の端部に設けられている。第一板ばね部２７ａの先端部の両係止部２７ｂの間には、解除面２７ｃが設けられている。解除面２７ｃは、図４に示すように、後方かつ右側に向かうように、ワイヤカバー２０の背面に対して傾斜している。そして、ロック部材２７は、図１４に示すように、両係止部２７ｂが、それぞれ嵌合完了位置に配置されたレバー３０の各係止片３５を係止することによって、レバー３０の左側への回転を阻止する。
【００２４】
次に、レバー式コネクタ１の作用について説明する。
レバー式コネクタ１では、ハウジング１０に対してレバー３０を回転させることによって、レバー３０のギヤ３２ｂがスライダ１３のラック１３ｂを駆動し、スライダ１３が左右方向に沿って移動される。そして、レバー３０を嵌合開始位置側（左右方向の一方側）に向かって回転させると、スライダ１３が右側に向かって移動される。また、レバー３０を嵌合完了位置側（左右方向の他方側）に向かって回転させると、スライダ１３が左側に向かって移動される。
【００２５】
ここで、図１０から図１６に示すように、組み立てが完了したレバー式コネクタ１では、レバー３０が嵌合完了位置に配置され、レバー３０がロック部材２７によってロックされた状態となっている。
したがって、レバー式コネクタ１と相手コネクタとの嵌合を行う際には、まず、ロック部材２７によるレバー３０のロックを解除して、嵌合完了位置に配置されているレバー３０を回転させて嵌合開始位置に配置する必要がある。
【００２６】
ロック部材２７によるレバー３０のロックを解除する際には、レバー３０の解除用凸部３６ｂの斜面３６ｃを、該斜面３６ｃに対して直交する方向に押し込む。すると、レバー３０の第二板ばね部３６ａが撓み、第二板ばね部３６ａの先端部が内方に向かって変位する。そして、内方に向かって変位した第二板ばね部３６ａの先端部が、ロック部材２７の第一板ばね部の解除面２７ｃに接触する。レバー３０の解除用凸部３６ｂを内方に向かってさらに押し込むと、第二板ばね部３６ａの先端部がロック部材２７の解除面２７ｃを内方に向かって押し込むことによって、ロック部材２７の第一板ばね部２７ａが撓み、第一板ばね部２７ａの先端部に設けられた両係止部２７ｂが内方に向かって変位する。そして、ロック部材２７の両係止部２７ｂが内方に向かって変位することによって、両係止部２７ｂによるレバー３０の係止片３５の係止が解除される。さらに、レバー３０の解除用凸部３６ｂを押し込んだ指でレバー３０を左側に向かって回転させることによって、ロック部材２７によるレバー３０のロックを解除することができる。すなわち、レバー式コネクタ１では、ロック部材２７によるレバー３０のロックを解除を、解除用凸部３６ｂを押し込む動作及びレバー３０を回転させる動作という一連の動作で行うことができる。したがって、レバー式コネクタ１によれば、ロック部材２７によるレバー３０のロックの解除性を向上することが可能となる。
【００２７】
ここで、図１３に示すように、レバー３０の解除部３６の第二板ばね部３６ａは、レバー３０が嵌合完了位置に配置された状態で、連結部３３から右側かつ前方（斜め前方）に向かって延びるように設けられている。これにより、レバー３０の解除用凸部３６ｂを内方に向かって押し込むことによる第二板ばね部３６ａの先端部が変位する向きが、変位前の第二板ばね部３６ａの先端部の位置に対して前方かつ左側となる。したがって、レバー３０の解除用凸部３６ｂを内方に向かって押し込む動作のみで、ロック部材２７の両係止部２７ｂによるレバー３０の係止片３５の係止を解除することができるとともに、係止が解除されたレバー３０を左側へ回転させることができる。したがって、レバー３０のロックの解除性をさらに向上することが可能となる。
【００２８】
また、解除用凸部３６ｂの先端部には、右側かつ後方に向かう斜面３６ｃが設けられている。これによって、ロック部材２７によるレバー３０のロックを解除する際には、解除用凸部３６ｂの斜面３６ｃを、該斜面３６ｃに対して直交する方向に押し込むことによって、第二板ばね部３６ａの先端部を前方かつ左側に向かって円滑に変位させることができる。したがって、ロック部材２７によるレバー３０のロックの解除性をさらに向上することが可能となる。
【００２９】
そして、ロック部材２７によるレバー３０のロックを解除後、レバー３０を回転させて嵌合開始位置に配置する。レバー３０を嵌合開始位置に配置すると、アウターハウジング１０ｂの各カムピン挿入孔１４が、各スライダ１３の各カム溝１３ａに連通する。また、嵌合開始位置に配置されたレバー３０は、ワイヤカバー２０の係止用凸部２６によって嵌合完了位置側への回転が阻止された状態となっている。
次に、レバー３０を嵌合開始位置に配置した状態で、相手コネクタの各カムピンをアウターハウジング１０ｂの各カムピン挿入孔１４を介して各スライダ１３の各カム溝１３ａ内に挿入して、レバー式コネクタ１と相手コネクタとを仮嵌合する。
【００３０】
そして、ワイヤカバー２０の係止用凸部２６によるレバー３０のロックを解除し、嵌合開始位置に配置されているレバー３０を、嵌合完了位置側に向かって回転させる。レバー３０を嵌合完了位置側に向かって回転させると、スライダ１３の複数のカム溝１３ａが、それぞれ相手コネクタに設けられたカムピンを背面側に向かって引き込んでいく。これにより、レバー式コネクタ１のインナーハウジング１０ａに収容されている複数のコンタクトが、それぞれ相手コネクタに収容されているコンタクトに嵌合される。
【００３１】
そして、レバー３０を嵌合完了位置に配置されることによって、レバー式コネクタ１と相手コネクタとの嵌合が完了する。なお、嵌合完了位置に配置されたレバー３０は、ワイヤカバー２０のロック部材２７によって嵌合開始位置側への回転が阻止された状態となっている。
ここで、レバー３０の連結部３３の解除用凸部３６ｂの周囲には、解除用凸部３６ｂに対して外方に向かって突出する側壁３７が設けられている。これにより、レバー式コネクタ１では、解除用凸部３６ｂに外力が作用することによってロック部材２７によるレバー３０の係止が意図せずに解除されることを防止することが可能となる。
【００３２】
一方、レバー式コネクタ１と相手コネクタとの嵌合を解除する際には、ワイヤカバー２０のロック部材２７によるレバー３０のロックを解除し、嵌合完了位置に配置されているレバー３０を、嵌合開始位置側に向かって回転させる。なお、ロック部材２７によるレバー３０のロックの解除方法は、上述した通りである。
レバー３０を嵌合開始位置側に向かって回転させると、スライダ１３の複数のカム溝１３ａが、それぞれ相手コネクタに設けられたカムピンを前面側に向かって押し出していく。これにより、レバー式コネクタ１のインナーハウジング１０ａに収容されているコンタクトと相手コネクタに収容されているコンタクトとの嵌合が解除される。
【００３３】
そして、レバー３０を嵌合開始位置まで回転させると、レバー式コネクタ１と相手コネクタとの嵌合の解除が完了する。
以上、本発明の実施の形態について説明したが、上記実施の形態では、種々の変更を行うことが可能である。
例えば、上記実施の形態では、連結部３３に係止片３５を２つ設けるとともに、ワイヤカバー２０のロック部材２７に係止部２７ｂを２つ設ける構成としている。しかしながら、連結部３３に係止片３５を１つ設けるとともに、ワイヤカバー２０のロック部材２７に係止部２７ｂを１つ設ける構成としても構わない。
【図面の簡単な説明】
【００３４】
【図１】本発明の実施形態であるレバー式コネクタのレバーが嵌合開始位置に配置された状態の右側を示す斜視図である。
【図２】図１に示すレバー式コネクタの左側を示す斜視図である。
【図３】図１に示すレバー式コネクタの平面図である。
【図４】図１に示すレバー式コネクタであり、レバーの解除部を通る線で切断した断面図である。
【図５】図１に示すレバー式コネクタであり、レバーの係止片を通る線で切断した断面図である。
【図６】図１に示すレバー式コネクタの右側面図である。
【図７】図１に示すレバー式コネクタの背面図である。
【図８】図１に示すレバー式コネクタのハウジングを示す斜視図である。
【図９】図８に示すハウジングの断面図である。
【図１０】レバーが嵌合完了位置に配置された状態のレバー式コネクタの右側を示す斜視図である。
【図１１】図１０に示すレバー式コネクタの左側を示す斜視図である。
【図１２】図１０に示すレバー式コネクタの平面図である。
【図１３】図１０に示すレバー式コネクタであり、レバーの解除部を通る線で切断した断面図である。
【図１４】図１０に示すレバー式コネクタであり、レバーの係止片を通る線で切断した断面図である。
【図１５】図１０に示すレバー式コネクタの右側面図である。
【図１６】図１０に示すレバー式コネクタの背面図である。
【図１７】従来のレバー式コネクタの断面図である。
【符号の説明】
【００３５】
１  レバー式コネクタ
１０  ハウジング
１０ａ  インナーハウジング
１０ｂ  アウターハウジング
１１  コンタクト挿入孔
１２  スライダ収容溝
１３  スライダ
１３ａ  カム溝
１３ｂ  ラック
１４  カムピン挿入孔
２０  ワイヤカバー
２１  軸部
２２  第一抑止部
２３  第二抑止部
２４  電線引出口
２６  係止用凸部
２７  ロック部材
２７ａ  第一板ばね部
２７ｂ  係止部
２７ｃ  解除面
３０  レバー
３２  側板
３２ａ  軸受孔
３２ｂ  ギヤ
３３  連結部
３５  係止片
３６  解除部
３６ａ  第二板ばね部
３６ｂ  解除用凸部
３６ｃ  斜面
３７  側壁
【図１】
0004405564.tif 000002
【図２】
0004405564.tif 000003
【図３】
0004405564.tif 000004
【図４】
0004405564.tif 000005
【図５】
0004405564.tif 000006
【図６】
0004405564.tif 000007
【図７】
0004405564.tif 000008
【図８】
0004405564.tif 000009
【図９】
0004405564.tif 000010
【図１０】
0004405564.tif 000011
【図１１】
0004405564.tif 000012
【図１２】
0004405564.tif 000013
【図１３】
0004405564.tif 000014
【図１４】
0004405564.tif 000015
【図１５】
0004405564.tif 000016
【図１６】
0004405564.tif 000017
【図１７】
0004405564.tif 000018